(57)【要約】【課題】小型化のために退避スペースが小さく、かつ、高倍率化・広角化のために開口径が大きい沈胴式レンズにおける光路を、確実にかつ安定して開閉すること。【解決手段】バリアベース１３０に支持されたバリア羽根１２３、１２４と、光軸周りに回転可能にバリアベース１３０に支持されたバリア開閉リング１４０と、を連結するとともに一端がバリア羽根１２３、１２４に固定されたトーションばね１５１の他端１５１ｂをバリア開閉リング１４０に押し付けるとともに、バリア開閉リング１４０に、トーションばね１５１の他端１５１ｂと当接することによりバリア羽根１２０を開き位置に保持させる位置決め部１４０ａと、トーションばね１５１の他端１５１ｂと当接して摺動することによりバリア羽根１２０を閉じ位置に保持させる摺動部１４０ｂと、を設けた。【選択図】図１０
2013167863.tif 000002
【特許請求の範囲】
【請求項１】
外光を通過させる開口部を備えたベースと、
前記ベースに設けられた回動軸を中心として回転可能に設けられ、回転することにより開き位置と閉じ位置とを切り替えるバリア羽根と、
光軸周りに回転可能に前記ベースに支持された回転リングと、
前記回転リングの像面側に設けられ、光軸周りに回転可能であって、前記回転リングと当接した状態において回転することにより前記回転リングに回転力を提供する駆動手段と、
前記回動軸を中心として回動可能に設けられ、前記バリア羽根と前記回転リングとを連動させるトーションばねと、
を備え、
前記トーションばねは、前記バリア羽根の一部を挟み込むことによって当該バリア羽根を保持する保持部を一端側に備え、他端が前記回転リングに押し付けられることで変形可能に形成されており、
前記回転リングは、回転にともなって、前記トーションばねの他端に当接し、前記トーションばねの他端と当接した状態で摺動することにより、前記バリア羽根を前記閉じ位置に保持させる摺動部を備えたことを特徴とするバリア機構。
【請求項２】
前記保持部は、前記バリア羽根の一部を前記開き位置方向に付勢する第１の付勢部と、前記バリア羽根の一部を前記閉じ位置方向に付勢する第２の付勢部と、を備え、
前記第２の付勢部による第２の付勢力が前記第１の付勢部による第１の付勢力より小さく形成されることで、前記バリア羽根を前記開き位置に保持させることを特徴とする請求項１に記載のバリア機構。
【請求項３】
前記回転リングは、
前記バリア羽根を前記開き位置から前記閉じ位置に回転させる際に、前記トーションばねの他端を閉じ位置方向に押し付ける押し付け部を備え、
前記押し付け部は、前記バリア羽根の開き位置において、前記トーションばねの他端から離間するように配置されたことを特徴とする請求項２に記載のバリア機構。
【請求項４】
前記回転リングは、前記トーションばねの他端と当接することで、前記バリア羽根を前記開き位置に保持させる位置決め部を備えたことを特徴とする請求項１に記載のバリア機構。
【請求項５】
前記回転リングは、
前記バリア羽根を前記開き位置から前記閉じ位置に回転させる際に、前記トーションばねの他端を閉じ位置方向に押し付ける押し付け部を備え、
前記押し付け部は、
前記バリア羽根を前記開き位置から前記閉じ位置に回転させる際に、前記位置決め部との間に前記トーションばねの他端を挟むように対向して形成されていることを特徴とする請求項４に記載のバリア機構。
【請求項６】
前記押し付け部は、前記バリア羽根を前記開き位置に保持させる際に、前記トーションばねの他端から離間するように形成されており、
前記位置決め部は、前記バリア羽根を前記開き位置から前記閉じ位置に回転させる際に、前記トーションばねの他端から離間していくように形成されていることを特徴とする請求項５に記載のバリア機構。
【請求項７】
前記摺動部は、
前記光軸を中心とする略円周方向に沿って形成されるフラット面を備え、
前記フラット面を前記トーションばねの他端に当接させた状態で摺動することにより、前記フラット面と前記トーションばねの他端とが当接している間、前記トーションばねを変形させることなく前記バリア羽根を前記閉じ位置に保持させることを特徴とする請求項１〜６のいずれか一つに記載のバリア機構。
【請求項８】
前記回転リングは、前記バリア羽根を前記開き位置に保持させる際に、前記駆動手段から離間するように配置されたことを特徴とする請求項１〜７のいずれか一つに記載のバリア機構。
【請求項９】
外光を通過させる開口部を備えたベースと、
前記ベースに支持され、回転可能に開き位置と閉じ位置とを切り替えるバリア羽根と、
光軸周りに回転可能に前記ベースに支持された回転リングと、
前記回転リングの像面側に設けられ、前記回転リングに回転力を提供する駆動手段と、
前記ベースに設けられて、前記バリア羽根と前記回転リングとを連結するためのトーションばねと、
を備え、
前記トーションばねは、その一端が前記バリア羽根に固定され、その他端が前記回転リ
ングに押し付けられることで変形可能に形成されており、
前記回転リングは、前記トーションばねの他端と当接することで、前記バリア羽根を前記開き位置に保持させる位置決め部と、前記バリア羽根を前記開き位置から前記閉じ位置に回転させる際に、前記トーションばねの他端を閉じ方向に押し付ける押し付け部と、を備え、
前記バリア羽根を前記開き位置から前記閉じ位置に回転させる際に、前記位置決め部と前記押し付け部の間に前記トーションばねの他端を挟むように対向して形成されていることを特徴とするバリア機構。
【請求項１０】
前記押し付け部は、前記バリア羽根を前記開き位置に保持させる際に、前記トーションばねの他端から離間するように形成されており、
前記位置決め部は、前記バリア羽根を前記開き位置から前記閉じ位置に回転させる際に、前記トーションばねの他端から離間していくように形成されていることを特徴とする請求項９に記載のバリア機構。
【請求項１１】
前記位置決め部と前記押し付け部とは、前記光軸を中心とする略同一円周上に形成されていることを特徴とする請求項９または１０に記載のバリア機構。
【発明の詳細な説明】
【技術分野】
【０００１】
この発明は、カメラなどのレンズを保護するバリア機構に関する。
【背景技術】
【０００２】
従来、光軸方向に沿って伸縮可能であって、非使用時において収縮した状態（いわゆる沈胴状態）となる沈胴式レンズに取り付けられるバリア機構があった。バリア機構は、たとえば、１あるいは複数枚のバリア羽根を備え、光軸に直交する平面において当該バリア羽根を回転させることにより、使用状態においては沈胴式レンズにおける光路を開き、沈胴状態においては当該光路を閉じる。
【０００３】
このようなバリア機構は、沈胴式レンズにおける光路を開く開き状態では、光軸に直交する平面において光路上から退避する位置にバリア羽根を位置付ける。具体的には、従来、たとえば、光軸を中心とする環形状をなし当該光軸を中心として回転可能な開閉リングを備え、当該開閉リングの回転に連動させてバリア羽根を回動させることにより、沈胴式レンズにおける光路を開閉するようにしたバリア機構があった。
【０００４】
開閉リングを回転させることによってバリア羽根を回動させるバリア機構においては、従来、たとえば、光軸方向に沿って移動可能な部材（直進部材）と開閉リングとを連結し、当該直進部材の光軸方向における移動力を開閉リングの回転力に変換するようにしたものがあった。このようなバリア機構によれば、直進成分の光軸方向における移動力を利用してバリア羽根を回動させることにより、バリア機構における部品点数を減らし、小型化に寄与することができる。
【０００５】
また、このようなバリア機構においては、従来、たとえば、バリア羽根を開き方向あるいは閉じ方向に付勢するトーションばねを備えるとともに、当該トーションばねと当接可能にそれぞれ、バリア羽根および開閉リングに設けられたボスを備え、当該トーションばねを介して開閉リングの回転力をバリア羽根に伝達し、バリア羽根を開き方向あるいは閉じ方向に付勢するようにした技術があった（たとえば、下記特許文献１、２を参照）。
【先行技術文献】
【特許文献】
【０００６】
【特許文献１】特開２００９−１７５４３３号公報
【特許文献２】特開２００５−４９７００号公報
【発明の概要】
【発明が解決しようとする課題】
【０００７】
上記特許文献１、２に記載された技術は、ともに開閉リングの像面側に配置された直進部材の進退を利用して、バリア羽根の開閉をおこなう機構であり、沈胴式レンズの小型化にともなって直進部材の移動量が小さくなると、バリア羽根の回転量が不足し、光路を完全に開くことができなくなったり、あるいは、光路を完全に閉じることができなくなったりすることがある。このため、直進部材に代えて、カム環の回転を利用してバリア羽根を回動させる技術が考えられる。
【０００８】
しかしながら、カム環の回転を利用してバリア羽根の開閉をおこなう機構に、そのまま、上記特許文献１、２に記載されたトーションばねおよびボスを用いると、カム環の回転ばらつきがあるため、沈胴状態においてトーションばねに対する付勢力が変化してしまうという問題があった。トーションばねに対する付勢力が変化してしまうことにより、バリア羽根が閉じる位置において、捩れてしまうという問題があった。
【０００９】
また、上記特許文献１に記載されたトーションばねおよびボスを用いると、バリア羽根および開閉リングに設けられたボスが光軸を中心とする同一円周上に配置されていないため、バリア機構の径方向の小型化ができなくなるという問題があった。また、バリア羽根に設けられたボスを回動させるために、バリアベースには、ボスを貫通させる切欠部を設ける必要があるため、バリアベースの成型形状が複雑になってしまう問題があった。
【００１０】
また、上記特許文献２に記載されたトーションばねおよびボスを用いると、バリア羽根および開閉リングに設けられたボスが光軸を中心とする略同一円周上に配置されたが、当該２つのボスは、光軸に沿って配置されているため、光軸方向の小型化ができなくなるという問題があった。また、トーションばねを回動させるために、バリアベースには、トーションばねを貫通させる切欠部を設ける必要があるため、バリアベースの成型形状が複雑になってしまう問題があった。
【００１１】
この発明は、上述した従来技術による問題点を解決し、目的を達成するため、沈胴式レンズの小型化にともなって、カム環の回転を利用してバリア羽根の開閉をおこなう機構であっても、カム環の回転ばらつきの影響を受けることなく、沈胴状態においてトーションばねに対する付勢力を変化させないバリア機構を提供することを目的とする。
【００１２】
また、この発明は、上述した従来技術による問題点を解決し、目的を達成するため、沈胴式レンズの小型化にともなって、従来に比べ、バリア機構の小型化を実現するとともに、バリアベースの成型形状の簡易化を図ることを目的とする。
【課題を解決するための手段】
【００１３】
上述した課題を解決し、目的を達成するため、この発明にかかるバリア機構は、外光を通過させる開口部を備えたベースと、前記ベースに設けられた回動軸を中心として回転可能に設けられ、回転することにより開き位置と閉じ位置とを切り替えるバリア羽根と、光軸周りに回転可能に前記ベースに支持された回転リングと、前記回転リングの像面側に設けられ、光軸周りに回転可能であって、前記回転リングと当接した状態において回転することにより前記回転リングに回転力を提供する駆動手段と、前記回動軸を中心として回動可能に設けられ、前記バリア羽根と前記回転リングとを連動させるトーションばねと、を備え、前記トーションばねが、前記バリア羽根の一部を挟み込むことによって当該バリア羽根を保持する保持部を一端側に備え、他端が前記回転リングに押し付けられることで変形可能に形成されており、前記回転リングが、回転にともなって、前記トーションばねの他端に当接し、前記トーションばねの他端と当接した状態で摺動することにより、前記バリア羽根を前記閉じ位置に保持させる摺動部を備えたことを特徴とする。
【００１４】
また、この発明にかかるバリア機構は、上記の発明において、前記保持部が、前記バリア羽根の一部を前記開き位置方向に付勢する第１の付勢部と、前記バリア羽根の一部を前記閉じ位置方向に付勢する第２の付勢部と、を備え、前記第２の付勢部による第２の付勢力が前記第１の付勢部による第１の付勢力より小さく形成されることで、前記バリア羽根を前記開き位置に保持させることを特徴とする。
【００１５】
また、この発明にかかるバリア機構は、上記の発明において、前記回転リングが、前記バリア羽根を前記開き位置から前記閉じ位置に回転させる際に、前記トーションばねの他端を閉じ位置方向に押し付ける押し付け部を備え、前記押し付け部が、前記バリア羽根の開き位置において、前記トーションばねの他端から離間するように配置されたことを特徴とする。
【００１６】
また、この発明にかかるバリア機構は、上記の発明において、前記回転リングが、前記トーションばねの他端と当接することで、前記バリア羽根を前記開き位置に保持させる位置決め部を備えたことを特徴とする。
【００１７】
また、この発明にかかるバリア機構は、上記の発明において、前記回転リングが、前記バリア羽根を前記開き位置から前記閉じ位置に回転させる際に、前記トーションばねの他端を閉じ位置方向に押し付ける押し付け部を備え、前記押し付け部が、前記バリア羽根を前記開き位置から前記閉じ位置に回転させる際に、前記位置決め部との間に前記トーションばねの他端を挟むように対向して形成されていることを特徴とする。
【００１８】
また、この発明にかかるバリア機構は、上記の発明において、前記押し付け部が、前記バリア羽根を前記開き位置に保持させる際に、前記トーションばねの他端から離間するように形成されており、前記位置決め部が、前記バリア羽根を前記開き位置から前記閉じ位置に回転させる際に、前記トーションばねの他端から離間していくように形成されていることを特徴とする。
【００１９】
また、この発明にかかるバリア機構は、上記の発明において、前記摺動部が、前記光軸を中心とする略円周方向に沿って形成されるフラット面を備え、前記フラット面を前記トーションばねの他端に当接させた状態で摺動することにより、前記フラット面と前記トーションばねの他端とが当接している間、前記トーションばねを変形させることなく前記バリア羽根を前記閉じ位置に保持させることを特徴とする。
【００２０】
また、この発明にかかるバリア機構は、上記の発明において、前記回転リングが、前記バリア羽根を前記開き位置に保持させる際に、前記駆動手段から離間するように配置されたことを特徴とする。
【００２１】
また、この発明にかかるバリア機構は、外光を通過させる開口部を備えたベースと、前記ベースに支持され、回転可能に開き位置と閉じ位置とを切り替えるバリア羽根と、光軸周りに回転可能に前記ベースに支持された回転リングと、前記回転リングの像面側に設けられ、前記回転リングに回転力を提供する駆動手段と、前記ベースに設けられて、前記バリア羽根と前記回転リングとを連結するためのトーションばねと、を備え、前記トーションばねが、その一端が前記バリア羽根に固定され、その他端が前記回転リングに押し付けられることで変形可能に形成されており、前記回転リングが、前記トーションばねの他端と当接することで、前記バリア羽根を前記開き位置に保持させる位置決め部と、前記バリア羽根を前記開き位置から前記閉じ位置に回転させる際に、前記トーションばねの他端を閉じ方向に押し付ける押し付け部と、を備え、前記バリア羽根を前記開き位置から前記閉じ位置に回転させる際に、前記位置決め部と前記押し付け部の間に前記トーションばねの他端を挟むように対向して形成されていることを特徴とする。
【００２２】
また、この発明にかかるバリア機構は、上記の発明において、前記押し付け部が、前記バリア羽根を前記開き位置に保持させる際に、前記トーションばねの他端から離間するように形成されており、前記位置決め部が、前記バリア羽根を前記開き位置から前記閉じ位置に回転させる際に、前記トーションばねの他端から離間していくように形成されていることを特徴とする。
【００２３】
また、この発明にかかるバリア機構は、上記の発明において、前記位置決め部と前記押し付け部とは、前記光軸を中心とする略同一円周上に形成されていることを特徴とする。
【発明の効果】
【００２４】
この発明にかかるバリア機構によれば、カム環の回転を利用して、バリア羽根の開閉をおこなう機構であっても、カム環の回転ばらつきの影響を受けることなく、沈胴状態においてトーションばねに対する付勢力を一定にすることを実現することができるという効果を奏する。
【００２５】
また、この発明にかかるバリア機構によれば、従来のバリア機構と比較して部品点数を増やすことなく、バリア機構の小型化を図るとともに、部品の成型を簡易化することができるという効果を奏する。
【図面の簡単な説明】
【００２６】
【図１】この発明にかかる実施の形態のバリア機構を示す説明図（その１）である。
【図２】この発明にかかる実施の形態のバリア機構を示す説明図（その２）である。
【図３】この発明にかかる実施の形態のバリア機構を示す説明図（その３）である。
【図４】この発明にかかる実施の形態のバリア機構を示す説明図（その４）である。
【図５】この発明にかかる実施の形態のバリア機構を示す説明図（その５）である。
【図６】この発明にかかる実施の形態のバリア機構を示す説明図（その６）である。
【図７】この発明にかかる実施の形態のバリア機構を示す説明図（その７）である。
【図８】この発明にかかる実施の形態のバリア機構を示す説明図（その８）である。
【図９】この発明にかかる実施の形態のバリア機構が備えるバリア開閉リングの構成を示す説明図（その１）である。
【図１０】この発明にかかる実施の形態のバリア機構が備えるバリア開閉リングの構成を示す説明図（その２）である。
【図１１】この発明にかかる実施の形態のバリア開閉リングとカム環との関係を示す説明図である。
【図１２】この発明にかかる別の実施の形態のバリア機構の一部を断面して示す説明図（その１）である。
【図１３】この発明にかかる別の実施の形態のバリア機構の一部を断面して示す説明図（その２）である。
【図１４】この発明にかかる別の実施の形態のバリア機構における、トーションばねが備える保持部による付勢力について示す説明図である。
【発明を実施するための形態】
【００２７】
以下に添付図面を参照して、この発明にかかるバリア機構の好適な実施の形態を詳細に説明する。
【００２８】
（バリア機構の構成）
まず、この発明にかかる実施の形態のバリア機構について説明する。図１、図２、図３、図４、図５、図６、図７および図８は、この発明にかかる実施の形態のバリア機構を示す説明図である。
【００２９】
図１および図４においては、この発明にかかる実施の形態のバリア機構の斜視状態を示している。図２、図３、図５および図６においては、この発明にかかる実施の形態のバリア機構の光軸方向における平面視状態を示しており、図２および図５においてはこの発明にかかる実施の形態のバリア機構を物体側（正面側）から見た状態（図１および図４におけるＡ矢視図）、図３および図６においてはこの発明にかかる実施の形態のバリア機構を撮像素子側（像面側）から見た状態（図１および図４におけるＢ矢視図）を示している。図７においては、図１の分解斜視状態を示している。図８においては、図４の分解斜視状態を示している。
【００３０】
図１、図２、図３、図４、図５、図６、図７および図８において、この発明にかかる実施の形態のバリア機構１００は、たとえば、沈胴式レンズに取り付けられる。沈胴式レンズは、略円筒形状をなす鏡筒、当該鏡筒内に設けられる１ないし複数のレンズ群、レンズ群に入射する光量を調整するアイリスシャッターなどを備えている。沈胴式レンズについては、公知の技術を用いて容易に実現可能であるため、説明を省略する。
【００３１】
沈胴式レンズは、たとえば、コンパクトカメラなどの撮像装置の本体に取り付けられる。撮像装置の本体内には、撮像素子が配置されている。撮像素子は、沈胴式レンズを介して受光した外光を光電変換し、入射光量に応じた電気信号を出力する。撮像素子は、具体的には、たとえばＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）やＣＭＯＳイメージセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ  Ｉｍａｇｅ  Ｓｅｎｓｏｒ）などの固体撮像素子によって実現される。沈胴式レンズを備えた撮像装置については、公知の技術を用いて容易に実現可能であるため、説明を省略する。
【００３２】
バリア機構１００は、沈胴式レンズにおける物体側の端部に取り付けられる。バリア機構１００は、沈胴式レンズにおけるもっとも物体側のレンズ群を覆うことにより当該レンズ群を保護したり、当該レンズ群を外部に開放したりする。バリア機構１００は、バリアカバー１１０と、複数枚（この実施の形態においては４枚）のバリア羽根１２０（１２１、１２２、１２３、１２４）と、バリアベース１３０と、バリア開閉リング１４０と、を備えている。バリア機構１００において、バリアカバー１１０、バリアベース１３０およびバリア開閉リング１４０は、たとえば、モールド成型によって形成することができる。
【００３３】
バリアカバー１１０は、カバー部材１１１に設けられた開口部１１２を備えている。開口部１１２は、光軸方向に沿ってカバー部材１１１を貫通している。開口部１１２は、沈胴式レンズにおける光路を開放し、沈胴式レンズが備えるレンズ群へ外光を入射させる。バリアカバー１１０は、バリアベース１３０に対して位置固定される。
【００３４】
バリアカバー１１０は、バリア羽根１２０を覆うことにより外部からバリア羽根１２０を保護する。また、バリアカバー１１０は、バリアベース１３０との間においてバリア羽根１２０が回動可能な状態としつつ、バリアベース１３０からバリア羽根１２０が浮き上がることを防止する。
【００３５】
バリア羽根１２０は、バリアカバー１１０とバリアベース１３０との間に設けられる。この発明にかかる実施の形態のバリア機構１００においては、バリア羽根１２３、１２４をメインの主要羽根としている。バリア羽根１２１、１２２は、バリア羽根１２３、１２４に付随する。バリア羽根１２０は、各バリア羽根１２１、１２２、１２３、１２４どうしの連動ポイント（回動の基点となる位置）が、全て、主要羽根であるバリア羽根１２３、１２４の力点と同じ半径内に配置されている。
【００３６】
バリア羽根１２０は、たとえば、金属材料を用いて形成することができる。バリア羽根１２０の枚数は、４枚に限るものではなく、３枚以下であってもよく、５枚以上であってもよい。また、バリア羽根１２０の枚数は、偶数枚に限るものではなく、奇数枚であってもよい。
【００３７】
バリア羽根１２０は、それぞれ、バリアベース１３０に設けられた回動軸１３１が挿入される軸孔１２５を備えている。バリア羽根１２０は、軸孔１２５に挿入された回動軸１３１を中心として、バリアベース１３０に対して回動可能に設けられている。バリア羽根１２０は、それぞれ、バリアベース１３０に対して、沈胴式レンズにおける光路を開放する開き位置と、当該光路を閉じて沈胴式レンズが備えるレンズ群などを保護する閉じ位置と、の間で回動する。
【００３８】
バリア羽根１２３、１２４は、駆動機構から駆動力が伝達された場合に、開き位置から閉じ位置方向あるいは閉じ位置から開き位置方向に回動する。駆動機構は、たとえばバリア開閉リング１４０の像面側に設けられたカム環などによって構成される。
【００３９】
この発明にかかる実施の形態において、駆動機構は、モータの駆動力を伝達する各種の機構部としてカム環（図１１における符号１１００を参照）を含む。カム環は、光軸を中心として回転可能であって、バリア羽根１２０を開き位置から閉じ位置に位置付ける場合に、バリア開閉リング１４０に近づくように回転する。
【００４０】
バリア羽根１２１、１２２は、それぞれ、突起１２６を備えている。突起１２６は、光軸方向に沿ってバリア羽根１２３、１２４側に突出している。突起１２６は、バリア羽根１２３、１２４に設けられた切り欠き部１２７の内側であってバリア羽根１２３、１２４の回動軌跡に干渉する位置に位置付けられる。
【００４１】
バリア羽根１２１、１２２は、それぞれ、突起１２８を備えている。突起１２８は、光軸方向に沿ってバリアベース１３０側に突出している。突起１２８は、バリア羽根１２３、１２４の回動軌跡に干渉する位置に位置付けられる。突起１２８は、バリア羽根１２３、１２４の回動軌跡上であって、バリア羽根１２３、１２４の閉じ位置側において、当該バリア羽根１２３、１２４の回動軌跡に干渉する位置に位置付けられる。
【００４２】
バリア羽根１２１、１２２は、バリア羽根１２３、１２４が閉じ位置から開き位置へ回動する際に、切り欠き部１２７に位置付けられた突起１２６を介してバリア羽根１２３、１２４に付勢されることによって、バリア羽根１２３、１２４と同方向に、閉じ位置から開き位置へ回動する。バリア羽根１２１、１２２は、バリア羽根１２３、１２４が開き位置から閉じ位置へ回動する際に、突起１２８を介してバリア羽根１２３、１２４に付勢されることによって、バリア羽根１２３、１２４と同方向に、開き位置から閉じ位置へ回動する。
【００４３】
バリア羽根１２３、１２４は、それぞれ、突起１２９を備えている。突起１２９は、バリアベース１３０における物体側から当該バリアベース１３０に設けられた貫通孔１３２に挿入される。貫通孔１３２に挿入された突起１２９の先端は、バリアベース１３０よりも像面側に位置付けられる。
【００４４】
バリアベース１３０は、開口部１３３を備えている。開口部１３３は、沈胴式レンズにおける光路を開放し、沈胴式レンズが備えるレンズ群へ外光を入射させる。この実施の形態においては、バリアベース１３０によってベースを実現することができる。バリアベース１３０は、バリア羽根１２０の回動位置を規制するガイド１３４を備えている。ガイド１３４は、たとえば、リブや溝によって実現することができる。バリア羽根１２０は、閉じ位置から開き位置へ回動する際および開き位置から閉じ位置へ回動する際に、ガイド１３４に沿って回動する。
【００４５】
バリアベース１３０は、上記のように、バリア羽根１２０が回動可能に取り付けられる回動軸１３１と、突起１２９が挿入される貫通孔１３２と、を備えている。貫通孔１３２は、バリアベース１３０において、回動軸１３１の近傍に設けられ、光軸方向に沿ってバリアベース１３０を貫通する。
【００４６】
回動軸１３１には、付勢部材としてのトーションばね１５１が設けられている。トーションばね１５１は、両端部１５１ａ、１５１ｂが回動軸１３１の軸心を中心とする円の半径方向に延出するようにして回動軸１３１に巻回されている。トーションばね１５１の一端１５１ａおよびトーションばね１５１の他端１５１ｂは、折り曲げられて略円形に丸められている。トーションばね１５１の一端１５１ａは、貫通孔１３２に挿入された突起１２９に固定している。
【００４７】
バリア開閉リング１４０は、沈胴式レンズにおける光路を開放する開口部１４３を備えている。バリア開閉リング１４０は、光路における光軸を中心として、バリアベース１３０に対して相対的に回動可能に設けられている。この実施の形態においては、バリア開閉リング１４０によって、回転リングを実現することができる。
【００４８】
バリア開閉リング１４０は、上記の駆動機構から駆動力が伝達される動力伝達用リブ１４４を備えており、駆動機構から駆動力が伝達された場合に、光軸Ｃを中心として回動する。バリア開閉リング１４０は、駆動機構から伝達された駆動力の方向に応じて図４における矢印Ｂ方向あるいは図４における矢印Ａ方向に回動する。
【００４９】
バリア開閉リング１４０は、引っ張りばね１５２の一端部が係止される突起１４１を備えている。引っ張りばね１５２の他端は、バリアベース１３０に設けられた、図示を省略する係止部に係止される。引っ張りばね１５２は、収縮状態を維持しようとする収縮力によって、突起１４１をバリアベース１３０に設けられた係止部側に引っ張ることにより、バリア開閉リング１４０を開き状態に位置付ける。バリア開閉リング１４０は、引っ張りばね１５２の付勢力と同等あるいはそれ以上の駆動力が加えられた場合に、開き位置から閉じ位置方向に回動する。
【００５０】
（バリア開閉リング１４０の構成）
つぎに、バリア開閉リング１４０の構成について説明する。図９および図１０は、この発明にかかる実施の形態のバリア機構１００が備えるバリア開閉リング１４０の構成を示す説明図である。図９においては、開き状態におけるバリア機構１００の一部を、像面側から見た状態を示している。図１０においては、閉じ状態におけるバリア機構１００の一部を、像面側から見た状態を示している。
【００５１】
図９および図１０において、バリア開閉リング１４０は、位置決め部１４０ａと、摺動部１４０ｂと、を備えている。位置決め部１４０ａは、トーションばね１５１の一端１５１ａが貫通孔１３２に挿入された突起１２９に固定されているトーションばね１５１の他端１５１ｂと当接することによって、バリア羽根１２０を開き位置に保持させる。摺動部１４０ｂは、トーションばね１５１の他端１５１ｂと当接した状態で当該トーションばね１５１に対して摺動することによって、バリア羽根１２０を閉じ位置に保持させる。
【００５２】
また、バリア開閉リング１４０は、押し付け部１４０ｃを備えている。押し付け部１４０ｃは、バリア羽根１２０を開き位置から閉じ位置に回転させる際にトーションばね１５１の他端１５１ｂに当接し、トーションばね１５１の他端１５１ｂを閉じ方向に押し付ける。トーションばね１５１の他端１５１ｂは、開き状態にある際に、位置決め部１４０ａと押し付け部１４０ｃとの間に挟まれる。開き状態にある際に、位置決め部１４０ａと押し付け部１４０ｃは、光軸を中心とする円周上においてトーションばね１５１の他端１５１ｂを間にして対向する。
【００５３】
押し付け部１４０ｃは、バリア羽根１２０を開き位置に保持させる際に、トーションばね１５１の他端１５１ｂから離間するように形成されている。位置決め部１４０ａは、バリア羽根１２０を開き位置から閉じ位置に回転させる際に、トーションばね１５１の他端１５１ｂから離間していくように形成されている。
【００５４】
摺動部１４０ｂは、光軸を中心とする略円周方向に沿って形成されるフラット面１４０ｂｂをなしている。フラット面１４０ｂｂにより、トーションばね１５１の他端１５１ｂとフラット面１４０ｂｂとが当接した以降は、摺動部１４０ｂに当接することによるトーションばね１５１の変形量を一定に維持することができる。
【００５５】
これによって、トーションばね１５１の他端１５１ｂとフラット面１４０ｂｂとが当接した以降、カム環の回転ばらつきがあって、さらにバリア開閉リング１４０を回転させた場合でも、トーションばね１５１が過剰に変形することを防止しつつ、バリア羽根１２０を閉じ位置に保持させることができる。位置決め部１４０ａ、摺動部１４０ｂ、押し付け部１４０ｃは、バリア開閉リング１４０における物体側の面に設けられている。
【００５６】
バリア開閉リング１４０は、バリア羽根１２０を開き位置に保持させる際に、駆動機構から離間するように配置されている。駆動機構がバリア開閉リング１４０から離間していく場合、バリア羽根１２０は、引っ張りばね１５２の付勢力によって、閉じ位置から開き位置へ回動する。
【００５７】
バリア開閉リング１４０は、上記のように、光軸方向に沿って駆動機構側に突出する動力伝達用リブ１４４を備えている。動力伝達用リブ１４４は、バリア羽根１２０を開き位置から閉じ位置に位置付ける場合あるいは閉じ位置に保持させる場合に、カム環に設けられた突出部（図１１における符号１１０１を参照）に当接する。
【００５８】
図１１は、この発明にかかる実施の形態のバリア開閉リング１４０とカム環との関係を示す説明図である。図１１においては、光軸方向における像面側から見たバリア開閉リング１４０およびカム環の一部を示している。図１１において、カム環１１００は、光軸を中心とする略円筒形状をなす。カム環１１００は、光軸方向において、バリア機構１００における像面側から、バリア開閉リング１４０に対向配置される。カム環１１００は、開き状態から閉じ状態に移行する際に、光軸を中心として回転しながら、像面側からバリア開閉リング１４０に近づくように移動する。
【００５９】
カム環１１００には、物体側の端部に、突出部１１０１が設けられている。突出部１１０１は、カム環１１００の内周面から光軸方向に突出した凸形状をなす。また、突出部１１０１は、光軸方向において、少なくとも一部が動力伝達用リブ１４４と当接可能に突出した凸形状をなす。
【００６０】
開き状態から閉じ状態に移行する際に、カム環１１００が、光軸を中心として回転しながら像面側からバリア開閉リング１４０に近づくと、カム環１１００に設けられた突出部１１０１が、動力伝達用リブ１４４に、像面側から当接する。カム環１１００に設けられた突出部１１０１は、カム環１１００の移動にともなって、動力伝達用リブ１４４を物体側へ押し付ける。これにより、バリア開閉リング１４０が光軸を中心として回転し、バリア機構１００が開き状態から閉じ状態に移行する。
【００６１】
図１１における符号Ｃは、カム環１１００がバリア開閉リング１４０に近づく際の、カム環１１００に設けられた突出部１１０１の進行方向を示している。図１１における符号Ｄは、バリア開閉リング１４０の回転方向を示している。バリア開閉リング１４０は、カム環１１００がバリア開閉リング１４０に接触した以降、カム環１１００の回転にともなって矢印Ｄ方向に回転する。
【００６２】
閉じ状態から開き状態に移行する際に、カム環１１００が、光軸を中心として回転しながらバリア開閉リング１４０から離反する方向に移動すると、開閉リング１４０が、引っ張りばね１５２の付勢力によって付勢されて、カム環１１００と同一方向に回転する。これにより、バリア機構１００が閉じ状態から開き状態に移行する。
【００６３】
以上説明したように、この発明にかかる実施の形態のバリア機構１００は、外光を通過させる開口部を備えたベースとしてのバリアベース１３０と、バリアベース１３０に支持され、回転可能に開き位置と閉じ位置とを切り替えるバリア羽根１２０（１２１、１２２、１２３、１２４）と、光軸周りに回転可能にバリアベース１３０に支持された回転リングとしてのバリア開閉リング１４０と、バリア開閉リング１４０の像面側に設けられ、一方向に回転し、バリア開閉リング１４０と当接することで、バリア開閉リング１４０に回転力を提供する駆動手段としての駆動機構と、バリアベース１３０に設けられて、バリア羽根１２０とバリア開閉リング１４０とを連結するためのトーションばね１５１と、を備え、トーションばね１５１は、その一端１５１ａがバリア羽根１２０に固定され、その他端１５１ｂがバリア開閉リング１４０に押し付けられることで変形可能に形成されており、バリア開閉リング１４０は、トーションばね１５１の他端１５１ｂと当接することで、バリア羽根１２０を開き位置に保持させる位置決め部１４０ａと、トーションばね１５１の他端１５１ｂと当接して摺動することによりバリア羽根１２０を閉じ位置に保持させる摺動部１４０ｂと、を備えたことを特徴としている。
【００６４】
この発明にかかる実施の形態のバリア機構１００によれば、沈胴式レンズの小型化にともなって、カム環１１００の回転を利用してバリア羽根１２０（１２１、１２２、１２３、１２４）の開閉をおこなう機構であっても、カム環１１００の回転ばらつきの影響を受けることなく、沈胴状態においてトーションばね１５１に対する付勢力を変化させないバリア機構１００を提供することができる。
【００６５】
また、この発明にかかる実施の形態のバリア機構１００は、バリア開閉リング１４０が、バリア羽根１２０を開き位置から閉じ位置に回転させる際に、トーションばね１５１の他端１５１ｂを閉じ方向に押し付ける押し付け部１４０ｃを備え、押し付け部１４０ｃが、バリア羽根１２０を開き位置から閉じ位置に回転させる際に、位置決め部１４０ａとの間にトーションばね１５１の他端１５１ａを挟むように対向して形成されていることを特徴としている。
【００６６】
この発明にかかる実施の形態のバリア機構１００によれば、簡易な構成によって、トーションばね１５１を安定して支持することができ、トーションばね１５１の付勢力を確実に作用させることができる。これにより、この発明にかかる実施の形態のバリア機構１００によれば、沈胴式レンズの小型化にともなって、カム環１１００の回転を利用してバリア羽根１２０の開閉をおこなう機構であっても、カム環１１００の回転ばらつきの影響を受けることなく、沈胴状態においてトーションばね１５１に対する付勢力を変化させないバリア機構１００を提供することができる。
【００６７】
また、この発明にかかる実施の形態のバリア機構１００は、押し付け部１４０ｃが、バリア羽根１２０を開き位置に保持させる際に、トーションばね１５１の他端１５１ｂから離間するように形成されており、位置決め部１４０ａが、バリア羽根１２０を開き位置から閉じ位置に回転させる際に、トーションばね１５１の他端１５１ｂから離間していくように形成されていることを特徴としている。
【００６８】
この発明にかかる実施の形態のバリア機構１００によれば、トーションばね１５１の付勢力を確実に作用させることができる。これにより、この発明にかかる実施の形態のバリア機構１００によれば、沈胴式レンズの小型化にともなって、カム環１１００の回転を利用してバリア羽根１２０の開閉をおこなう機構であっても、カム環１１００の回転ばらつきの影響を受けることなく、沈胴状態においてトーションばね１５１に対する付勢力を変化させないバリア機構１００を提供することができる。
【００６９】
また、この発明にかかる実施の形態のバリア機構１００は、摺動部１４０ｂが、光軸を中心とする略円周方向に沿って形成されるフラット面１４０ｂｂを備え、フラット面１４０ｂｂをトーションばね１５１の他端１５１ｂに当接させた状態で摺動することにより、フラット面１４０ｂｂとトーションばね１５１の他端１５１ｂとが当接している間、トーションばね１５１を変形させることなくバリア羽根１２０を閉じ位置に保持させることを特徴としている。
【００７０】
この発明にかかる実施の形態のバリア機構１００によれば、簡易な構成によって、バリア羽根１２０に対して常に一定の付勢力を作用させることができる。これにより、この発明にかかる実施の形態のバリア機構１００によれば、沈胴式レンズの小型化にともなって、カム環１１００の回転を利用してバリア羽根１２０の開閉をおこなう機構であっても、カム環１１００の回転ばらつきの影響を受けることなく、沈胴状態においてトーションばね１５１に対する付勢力を変化させないバリア機構１００を提供することができる。
【００７１】
また、この発明にかかる実施の形態のバリア機構１００は、バリア開閉リング１４０が、バリア羽根１２０を開き位置に保持させる際に、駆動機構から離間するように配置されたことを特徴としている。
【００７２】
この発明にかかる実施の形態のバリア機構１００によれば、バリア機構１００が取り付けられた沈胴式レンズ鏡筒が使用状態にある間、バリア開閉リング１４０が不用意に回転することを防止できる。これによって、カム環１１００など沈胴式レンズ鏡筒の本来の動作に支障を来すことなく、小型化のために退避スペースが小さく、かつ、高倍率化・広角化のために開口径が大きい沈胴式レンズの小型化にともなって、カム環１１００の回転を利用してバリア羽根１２０の開閉をおこなう機構であっても、カム環１１００の回転ばらつきの影響を受けることなく、沈胴状態においてトーションばね１５１に対する付勢力を変化させないバリア機構１００を提供することができる。
【００７３】
また、この発明にかかる実施の形態のバリア機構１００は、外光を通過させる開口部を備えたベースとしてのバリアベース１３０と、バリアベース１３０に支持され、回転可能に開き位置と閉じ位置とを切り替えるバリア羽根１２０（１２１、１２２、１２３、１２４）と、光軸周りに回転可能にバリアベース１３０に支持された回転リングとしてのバリア開閉リング１４０と、バリア開閉リング１４０の像面側に設けられ、バリア開閉リング１４０に回転力を提供する駆動手段としての駆動機構と、バリアベース１３０に設けられて、バリア羽根１２０とバリア開閉リング１４０とを連結するためのトーションばね１５１と、を備え、トーションばね１５１が、その一端１５１ａがバリア羽根１２０に固定され、その他端１５１ｂがバリア開閉リング１４０に押し付けられることで変形可能に形成されており、バリア開閉リング１４０が、トーションばね１５１の他端１５１ｂと当接することで、バリア羽根１２０を開き位置に保持させる位置決め部１４０ａと、バリア羽根１２０を開き位置から閉じ位置に回転させる際に、トーションばね１５１の他端１５１ｂを閉じ方向に押し付ける押し付け部１４０ｃと、を備え、バリア羽根１２０を開き位置から閉じ位置に回転させる際に、位置決め部１４０ａと押し付け部１４０ｃの間にトーションばね１５１の他端１５１ｂを挟むように対向して形成されていることを特徴としている。
【００７４】
この発明にかかる実施の形態のバリア機構１００によれば、従来のバリア機構と比較して部品点数を増やすことなく、光軸方向におけるバリア機構の小型化を図るとともに、部品（バリアベース）の成型を簡易化することができる。
【００７５】
また、この発明にかかる実施の形態のバリア機構１００は、押し付け部１４０ｃが、バリア羽根１２０を開き位置に保持させる際に、トーションばね１５１の他端１５１ｂから離間するように形成されており、位置決め部１４０ａが、バリア羽根１２０を開き位置から閉じ位置に回転させる際に、トーションばね１５１の他端１５１ｂから離間していくように形成されていることを特徴としている。
【００７６】
この発明にかかる実施の形態のバリア機構１００によれば、従来のバリア機構と比較して部品点数を増やすことなく、光軸方向におけるバリア機構の小型化を図るとともに、部品（バリアベース）の成型を簡易化することができる。
【００７７】
また、この発明にかかる実施の形態のバリア機構１００は、位置決め部１４０ａと押し付け部１４０ｃとが、光軸を中心とする略同一円周上に形成されていることを特徴としている。この発明にかかる実施の形態のバリア機構１００によれば、従来のバリア機構と比較して部品点数を増やすことなく、径方向におけるバリア機構の小型化を図ることができる。
【００７８】
（別の実施の形態）
つぎに、この発明にかかる別の実施の形態のバリア機構について説明する。別の実施の形態について、上述した実施の形態と同一部分については、同一符号で示し、説明を省略する。
【００７９】
図１２および図１３は、この発明にかかる別の実施の形態のバリア機構の一部を断面して示す説明図である。図１２においては、開き状態におけるバリア機構１２００の一部を断面した状態を示している。図１３においては、閉じ状態におけるバリア機構１２００の一部を断面した状態を示している。
【００８０】
図１２および図１３において、この発明にかかる別の実施の形態のバリア機構１２００は、トーションばね１２０１を備えている。トーションばね１２０１は、回動軸１３１を中心として回動可能に設けられている。トーションばね１２０１は、バリア羽根１２０と、回転リングを実現するバリア開閉リング１４０と、を連動させる。
【００８１】
トーションばね１２０１は、一端１２０１ａ側に、保持部１２０２を備えている。保持部１２０２は、バリア羽根１２０の一部である被保持部１２０３を挟み込むことによって、当該バリア羽根を保持する。被保持部１２０３は、突起１２９の一部を構成し、光軸に直交する平面に沿って、保持部１２０２を通過する位置において、バリア羽根１２０の一部を切断した状態における断面形状が、矩形状とされている。
【００８２】
図１４は、この発明にかかる別の実施の形態のバリア機構１２００における、トーションばね１２０１が備える保持部１２０２による付勢力について示す説明図である。保持部１２０２は、第１の付勢部１２０２ａと、第２の付勢部１２０２ｂと、を備えている。トーションばね１２０１は、バリア羽根１２０に対して、第１の付勢部１２０２ａを介して被保持部１２０３を開き位置方向に付勢する付勢力（第１の付勢力）Ｆ１を作用させる。トーションばね１２０１は、バリア羽根１２０に対して、第２の付勢部１２０２ｂを介して被保持部１２０３を閉じ位置方向に付勢する付勢力（第２の付勢力）Ｆ２を作用させる。
【００８３】
第１の付勢力Ｆ１は、被保持部１２０３に対して、当該被保持部１２０３において第１の付勢部１２０２ａが当接する平面に対して直交する方向に作用する。第２の付勢力Ｆ２は、被保持部１２０３に対して、当該被保持部１２０３において第２の付勢部１２０２ｂが当接する平面に対して直交する方向に作用させる。第１の付勢部１２０２ａと、第２の付勢部１２０２ｂとは、被保持部１２０３に対して、相反する方向へ付勢力を作用させる。第２の付勢部１２０２ｂによる付勢力（第２の付勢力）Ｆ２は、第１の付勢部１２０２ａによる付勢力（第１の付勢力）Ｆ１よりも小さい。これにより、バリア羽根１２０は、開き位置に保持される。バリア開閉リング１４０の押し付け部１４０ｃは、バリア羽根１２０の開き位置において、トーションばね１２０１の他端１２０１ｂから離間するように配置される。
【００８４】
この発明にかかる別の実施の形態のバリア機構１２００において、トーションばね１２０１の他端は、上記の実施の形態のトーションばね１５１の他端１５１ｂのような環形状とは異なり、略Ｕ字形に湾曲した形状とされている。これにより、トーションばね１２０１における回動軸１３１から他端１２０１ｂまでの長さを、上記の実施の形態のトーションばね１５１における回動軸１３１から他端１５１ｂまでの長さよりも短くすることができる。
【００８５】
そして、これにより、回動軸１３１を上記の実施の形態の位置よりも光軸側（内周側）に設けることができ、バリア機構１２００の径方向における寸法を小さくすることができる。これによって、バリア機構１２００を備えた沈胴式レンズの小型化を図ることができる。
【００８６】
また、この発明にかかる別の実施の形態のバリア機構１２００において、上記の実施の形態のバリア機構１００におけるバリア開閉リング１４０が備える位置決め部１４０ａを必要としない。これにより、バリア機構１２００においては、上記の実施の形態における位置決め部１４０ａを省略することができる。
【００８７】
そして、これにより、上記の実施の形態のバリア機構１００と比較して、バリア機構１２００の構成の簡略化を図るとともに、バリア機構１２００の径方向における寸法を小さくすることができる。これによって、バリア機構１２００を備えた沈胴式レンズの小型化を図ることができる。
【００８８】
トーションばね１２０１は、他端１２０１ｂがバリア開閉リング１４０に押し付けられることで変形可能に形成されている。トーションばね１２０１の他端１２０１ｂは、バリア開閉リング１４０の回転にともなって光軸を中心とする円周上を移動する摺動部１４０ｂに当接する位置に位置付けられている。
【００８９】
バリア開閉リング１４０は、回転にともなって、トーションばね１２０１の他端１２０１ｂに当接する。摺動部１４０ｂは、トーションばね１２０１の他端１２０１ｂと当接した状態で、バリア開閉リング１４０がさらに回転することにより、トーションばね１２０１の他端１２０１ｂに対して摺動する。
【００９０】
バリア開閉リング１４０は、摺動部１４０ｂがトーションばね１２０１の他端１２０１ｂと当接した状態でさらに回転することにより、トーションばね１２０１に対して、当該トーションばね１２０１の他端１２０１ｂを、光軸を中心とする円の外周側へ押し出す方向の付勢力を作用させる。
【００９１】
これにより、トーションばね１２０１は、バリア開閉リング１４０を介して、バリア羽根１２０に対して、当該バリア羽根１２０を閉じ位置に保持させる付勢力を作用させる。トーションばね１２０１は、摺動部１４０ｂと当接している状態において、第１の付勢力Ｆ１と第２の付勢力Ｆ２との差分に等しいあるいは、その差分よりも大きい付勢力Ｆ（図１３における符号１３０１を参照）によって、バリア羽根１２０を閉じ位置方向に付勢する。
【００９２】
以上説明したように、この発明にかかる別の実施の形態のバリア機構１２００によれば、外光を通過させる開口部を備えたベースとしてのバリアベース１３０と、バリアベース１３０に設けられた回動軸１３１を中心として回転可能に設けられ、回転することにより開き位置と閉じ位置とを切り替えるバリア羽根１２０（１２１、１２２、１２３、１２４）と、光軸周りに回転可能にバリアベース１３０に支持された回転リングとしてのバリア開閉リング１４０と、バリア開閉リング１４０の像面側に設けられ、光軸周りに回転可能であって、バリア開閉リング１４０と当接した状態において回転することによりバリア開閉リング１４０に回転力を提供する駆動手段としての駆動機構と、回動軸１３１を中心として回動可能に設けられ、バリア羽根１２０（１２１、１２２、１２３、１２４）とバリア開閉リング１４０とを連動させるトーションばね１２０１と、を備え、トーションばね１２０１が、バリア羽根１２０（１２１、１２２、１２３、１２４）の一部である被保持部１２０３を挟み込むことによって当該バリア羽根１２０（１２１、１２２、１２３、１２４）を保持する保持部１２０２を一端側に備え、他端がバリア開閉リング１４０に押し付けられることで変形可能に形成されており、バリア開閉リング１４０が、回転にともなって、トーションばね１２０１の他端に当接し、トーションばね１２０１の他端と当接した状態で摺動することにより、バリア羽根１２０（１２１、１２２、１２３、１２４）を閉じ位置に保持させる摺動部１４０ｂを備えたことを特徴としている。
【００９３】
この発明にかかる別の実施の形態のバリア機構１２００によれば、沈胴式レンズの小型化にともなって、カム環１１００の回転を利用してバリア羽根１２０（１２１、１２２、１２３、１２４）の開閉をおこなう機構であっても、カム環１１００の回転ばらつきの影響を受けることなく、沈胴状態においてトーションばね１２０１に対する付勢力を変化させないバリア機構１２００を提供することができる。
【００９４】
これにより、閉じ位置にあるバリア羽根１２０（１２１、１２２、１２３、１２４）に対して、当該バリア羽根１２０（１２１、１２２、１２３、１２４）を閉じ位置の方向へ付勢する付勢力を安定して作用させることができる。これによって、カム環１１００の回転ばらつきの影響を受けることなく、確実に、光路を完全に閉じることができる。
【００９５】
また、この発明にかかる別の実施の形態のバリア機構１２００は、保持部１２０２が、被保持部１２０３を開き位置方向に付勢する第１の付勢部１２０２ａと、バリア羽根１２０（１２１、１２２、１２３、１２４）を閉じ位置方向に付勢する第２の付勢部１２０２ｂと、を備え、第２の付勢部１２０２ｂによる第２の付勢力Ｆ２が第１の付勢部１２０２ａによる第１の付勢力Ｆ１より小さく形成されることで、バリア羽根１２０（１２１、１２２、１２３、１２４）を開き位置に保持させることを特徴としている。
【００９６】
この発明にかかる別の実施の形態のバリア機構１２００によれば、簡易な構成によってバリア羽根１２０（１２１、１２２、１２３、１２４）を閉じ位置方向に付勢することができる。
【００９７】
また、この発明にかかる別の実施の形態のバリア機構１２００は、バリア開閉リング１４０が、バリア羽根１２０（１２１、１２２、１２３、１２４）を開き位置から閉じ位置に回転させる際に、トーションばね１２０１の他端を閉じ位置方向に押し付ける押し付け部１４０ｃを備え、押し付け部１４０ｃが、バリア羽根１２０（１２１、１２２、１２３、１２４）の開き位置において、トーションばね１２０１の他端から離間するように配置されたことを特徴としている。
【００９８】
この発明にかかる別の実施の形態のバリア機構１２００によれば、従来のバリア機構と比較して部品点数を増やすことなく、バリア機構１２００の小型化を図るとともに、部品（バリアベース）の成型を簡易化することができる。
【産業上の利用可能性】
【００９９】
以上のように、この発明にかかるバリア機構は、カメラなどのレンズを保護するバリア機構に有用であり、特に、沈胴式レンズ鏡筒を取り付け対象とするバリア機構に適している。
【符号の説明】
【０１００】
１００  バリア機構
１２０（１２１、１２２、１２３、１２４）  バリア羽根
１３０  バリアベース
１４０  バリア開閉リング
１４０ａ  位置決め部
１４０ｂ  摺動部
１４０ｂｂ  フラット面
１４０ｃ  押し付け部
１５１  トーションばね
１２００  バリア機構
１２０１  トーションばね
１２０２  保持部
１２０２ａ  第１の付勢部
１２０２ｂ  第２の付勢部
１２０３  被保持部
Ｆ１  第１の付勢力
Ｆ２  第２の付勢力
【図１】
2013167863.tif 000003
【図２】
2013167863.tif 000004
【図３】
2013167863.tif 000005
【図４】
2013167863.tif 000006
【図５】
2013167863.tif 000007
【図６】
2013167863.tif 000008
【図７】
2013167863.tif 000009
【図８】
2013167863.tif 000010
【図９】
2013167863.tif 000011
【図１０】
2013167863.tif 000012
【図１１】
2013167863.tif 000013
【図１２】
2013167863.tif 000014
【図１３】
2013167863.tif 000015
【図１４】
2013167863.tif 000016